【手続補正書】
【提出日】平成23年1月25日(2011.1.25)
【手続補正１】
【補正対象書類名】明細書
【補正対象項目名】発明の名称
【補正方法】変更
【補正の内容】
【発明の名称】発光素子及び発光装置
【手続補正２】
【補正対象書類名】特許請求の範囲
【補正対象項目名】全文
【補正方法】変更
【補正の内容】
【特許請求の範囲】
【請求項１】
陽極と陰極との間に、１つのアミノ基が結合したスピロ−９，９’−ビフルオレン誘導体を含む第１の層と、燐光性化合物を含む第２の層と、を有することを特徴とする発光素子。
【請求項２】
陽極と陰極との間に、２位に１つのアミノ基が結合したスピロ−９，９’−ビフルオレン誘導体を含む第１の層と、燐光性化合物を含む第２の層と、を有することを特徴とする発光素子。
【請求項３】
請求項１または請求項２に記載の発光素子において、前記アミノ基が、置換または無置換のアリール基で置換されているか、または、前記アミノ基が、置換または無置換の複素環基で置換されていることを特徴とする発光素子。
【請求項４】
陽極と陰極との間に、下記一般式（１）で表されるスピロ−９，９’−ビフルオレン誘導体を含む第１の層と、燐光性化合物を含む第２の層と、を有することを特徴とする発光素子。
【化１】
2008244465.tif 000001
（式中、Ｒ１は水素、炭素数１〜４のアルキル基のいずれかを表す。Ｒ２、Ｒ３は水素又は炭素数１〜４のアルキル基のいずれかを表し、それぞれ同一でも異なっていても良い。Ｒ４は炭素数６〜１５のアリール基を表す。Ｒ５、Ｒ６は水素、炭素数１〜４のアルキル基又は炭素数６〜１５のアリール基のいずれかを表し、それぞれ同一でも異なっていても良い。）
【請求項５】
陽極と陰極との間に、下記一般式（２）で表されるスピロ−９，９’−ビフルオレン誘導体を含む第１の層と、燐光性化合物を含む第２の層と、を有することを特徴とする発光素子。
【化２】
2008244465.tif 000002
（式中、Ｒ７は水素、炭素数１〜４のアルキル基のいずれかを表す。Ｒ８、Ｒ９は水素又は炭素数１〜４のアルキル基のいずれかを表し、それぞれ同一でも異なっていても良い。Ｒ１０は炭素数６〜１５のアリール基のいずれかを表す。Ｒ１１、Ｒ１２は水素、炭素数１〜４のアルキル基又は炭素数６〜１５のアリール基のいずれかを表し、それぞれ同一でも異なっていても良い。）
【請求項６】
陽極と陰極との間に、下記一般式（３）で表されるスピロ−９，９’−ビフルオレン誘導体を含む第１の層と、燐光性化合物を含む第２の層と、を有することを特徴とする発光素子。
【化３】
2008244465.tif 000003
（式中、Ｒ１３は水素、炭素数１〜４のアルキル基のいずれかを表す。Ｒ１４、Ｒ１５は水素又は炭素数１〜４のアルキル基のいずれかを表し、それぞれ同一でも異なっていても良い。Ｒ１６は炭素数６〜１５のアリール基を表す。Ｒ１７は水素、炭素数１〜４のアルキル基又は炭素数６〜１５のアリール基のいずれかを表し、Ｒ１８は炭素数１〜４のアルキル基又は炭素数６〜１５のアリール基のいずれかを表す。）
【請求項７】
陽極と陰極との間に、下記一般式（４）で表されるスピロ−９，９’−ビフルオレン誘導体を含む第１の層と、燐光性化合物を含む第２の層と、を有することを特徴とする発光素子。
【化４】
2008244465.tif 000004
（式中、Ｒ１９は水素、炭素数１〜４のアルキル基のいずれかを表す。Ｒ２０、Ｒ２１は水素又は炭素数１〜４のアルキル基のいずれかを表し、それぞれ同一でも異なっていても良い。Ｒ２２は水素、炭素数１〜４のアルキル基または炭素数６〜１５のアリール基のいずれかを表し、Ｒ２３、Ｒ２４は水素、炭素数１〜４のアルキル基又は炭素数６〜１５のアリール基のいずれかを表し、それぞれ同一でも異なっていても良い。）
【請求項８】
陽極と陰極との間に、下記一般式（５）で表されるスピロ−９，９’−ビフルオレン誘導体を含む第１の層と、燐光性化合物を含む第２の層と、を有することを特徴とする発光素子。
【化５】
2008244465.tif 000005
（式中、Ｒ２５は水素、炭素数１〜４のアルキル基のいずれかを表す。Ｒ２６、Ｒ２７は水素又は炭素数１〜４のアルキル基のいずれかを表し、それぞれ同一でも異なっていても良い。Ｒ２８は水素、炭素数１〜４のアルキル基又は炭素数６〜１５のアリール基のいずれかを表し、Ｒ２９、Ｒ３０は水素、炭素数１〜４のアルキル基又は炭素数６〜１５のアリール基のいずれかを表し、それぞれ同一でも異なっていても良い。）
【請求項９】
陽極と陰極との間に、下記一般式（６）で表されるスピロ−９，９’−ビフルオレン誘導体を含む第１の層と、燐光性化合物を含む第２の層と、を有することを特徴とする発光素子。
【化６】
2008244465.tif 000006
（式中、Ｒ３１は水素、炭素数１〜４のアルキル基のいずれかを表す。Ｒ３２、Ｒ３３は水素又は炭素数１〜４のアルキル基のいずれかを表し、それぞれ同一でも異なっていても良い。Ｒ３４は水素、炭素数１〜４のアルキル基又は炭素数６〜１５のアリール基のいずれかを表し、Ｒ３５は水素、炭素数１〜４のアルキル基又は炭素数６〜１５のアリール基のいずれかを表し、Ｒ３６は水素、炭素数１〜４のアルキル基又は炭素数６〜１５のアリール基のいずれかを表す。）
【請求項１０】
陽極と陰極との間に、下記一般式（７）で表されるスピロ−９，９’−ビフルオレン誘導体を含む第１の層と、燐光性化合物を含む第２の層と、を有することを特徴とする発光素子。
【化７】
2008244465.tif 000007
（式中、Ｒ３７は水素、炭素数１〜４のアルキル基のいずれかを表す。Ｒ３８、Ｒ３９は水素又は炭素数１〜４のアルキル基のいずれかを表し、それぞれ同一でも異なっていても良い。）
【請求項１１】
陽極と陰極との間に、下記一般式（８）で表されるスピロ−９，９’−ビフルオレン誘導体を含む第１の層と、燐光性化合物を含む第２の層と、を有することを特徴とする発光素子。
【化８】
2008244465.tif 000008
（式中、Ｒ４０は水素、炭素数１〜４のアルキル基のいずれかを表す。Ｒ４１、Ｒ４２は水素又は炭素数１〜４のアルキル基のいずれかを表し、それぞれ同一でも異なっていても良い。）
【請求項１２】
陽極と陰極との間に、下記一般式（９）で表されるスピロ−９，９’−ビフルオレン誘導体を含む第１の層と、燐光性化合物を含む第２の層と、を有することを特徴とする発光素子。
【化９】
2008244465.tif 000009
（式中、Ｒ４３は水素、炭素数１〜４のアルキル基のいずれかを表す。Ｒ４４、Ｒ４５は水素又は炭素数１〜４のアルキル基のいずれかを表し、それぞれ同一でも異なっていても良い。）
【請求項１３】
陽極と陰極との間に、下記一般式（１０）で表されるスピロ−９，９’−ビフルオレン誘導体を含む第１の層と、燐光性化合物を含む第２の層と、を有することを特徴とする発光素子。
【化１０】
2008244465.tif 000010
（式中、Ｒ４６、Ｒ４７は水素又は炭素数１〜４のアルキル基のいずれかを表し、それぞれ同一でも異なっていても良い。）
【請求項１４】
陽極と陰極との間に、下記一般式（１１）で表されるスピロ−９，９’−ビフルオレン誘導体を含む第１の層と、燐光性化合物を含む第２の層と、を有することを特徴とする発光素子。
【化１１】
2008244465.tif 000011
（式中、Ｒ４８、Ｒ４９は水素又は炭素数１〜４のアルキル基のいずれかを表し、それぞれ同一でも異なっていても良い。）
【請求項１５】
陽極と陰極との間に、下記一般式（１２）で表されるスピロ−９，９’−ビフルオレン誘導体を含む第１の層と、燐光性化合物を含む第２の層と、を有することを特徴とする発光素子。
【化１２】
2008244465.tif 000012
（式中、Ｒ５０、Ｒ５１は水素又は炭素数１〜４のアルキル基のいずれかを表し、それぞれ同一でも異なっていても良い。）
【請求項１６】
陽極と陰極との間に、下記構造式（１３）で表されるスピロ−９，９’−ビフルオレン誘導体を含む第１の層と、燐光性化合物を含む第２の層と、を有することを特徴とする発光素子。
【化１３】
2008244465.tif 000013
【請求項１７】
陽極と陰極との間に、下記構造式（１４）で表されるスピロ−９，９’−ビフルオレン誘導体を含む第１の層と、燐光性化合物を含む第２の層と、を有することを特徴とする発光素子。
【化１４】
2008244465.tif 000014
【請求項１８】
陽極と陰極との間に、下記構造式（１５）で表されるスピロ−９，９’−ビフルオレン誘導体を含む第１の層と、燐光性化合物を含む第２の層と、を有することを特徴とする発光素子。
【化１５】
2008244465.tif 000015
【請求項１９】
請求項１乃至請求項１８のいずれか一において、
前記第２の層は、前記燐光性化合物と、ホスト材料とを含み、
前記スピロ−９，９’−ビフルオレン誘導体は、前記ホスト材料よりもＴ１準位が高いことを特徴とする発光素子。
【請求項２０】
請求項１乃至請求項１９のいずれか一において、前記第１の層が、前記第２の層に対して前記陽極側に位置することを特徴とする発光素子。
【請求項２１】
請求項１乃至請求項２０のいずれか一において、前記第１の層と前記第２の層とが隣接することを特徴とする発光素子。
【請求項２２】
請求項１乃至請求項２１のいずれか一に記載の発光素子を有する発光装置。